(57)【要約】【課題】コンタクトからのハウジングに対する押圧力を分散させてハウジングが外部に膨れてしまうことを防ぎ、外観上の見栄えを良好にすると共に、コンタクトを安定的に保持すること。【解決手段】電気コネクタ１は、ハウジング１０及びコンタクト２０を有する。二股状接続部２１は、連通溝１３の内壁と面で当接する当接部２４と、連通溝１３の内壁に当接しないように凹ませて形成した凹部２５と、を備え、凹部２５は、二股状接続部２１がケーブルの導電体からの押圧力で拡開することによりハウジング１０に係止する。【選択図】図１
2016115414.tif 000002
【特許請求の範囲】
【請求項１】
導電体を絶縁体により被覆したケーブルと接続する電気コネクタであって、
前記ケーブルを挿入可能な挿入孔と、前記挿入孔の側方において前記挿入孔から離間して設けられると共に外部に開放されたコンタクト保持部と、前記コンタクト保持部と前記挿入孔とを連通する連通溝と、を備えた絶縁性のハウジングと、
二股に分岐した形状を有すると共に前記連通溝に挿入されて前記挿入孔に挿入された前記ケーブルの前記絶縁体を二股の間で突き破って前記導電体に接続する二股状接続部と、前記コンタクト保持部に保持されて相手側コネクタと接続する相手側コネクタ接続部と、を備え、板状部材を折り曲げて形成した導電性のコンタクトと、
を有し、
前記二股状接続部は、
前記連通溝の内壁と面で当接する当接部と、前記連通溝の内壁に当接しないように凹ませて形成した係止部と、を備え、
前記係止部は、
前記二股状接続部が前記ケーブルの前記導電体からの押圧力で拡開することにより前記ハウジングに係止する、
ことを特徴とする電気コネクタ。
【請求項２】
前記係止部は、
前記連通溝の内壁に係止する、
ことを特徴とする請求項１記載の電気コネクタ。
【請求項３】
前記ハウジングは、
前記当接部が当接する前記連通溝の内壁に連続して形成されると共に前記連通溝に対する前記二股状接続部の挿入方向に直交する係止壁を備え、
前記係止部は、
前記係止壁に係止する、
ことを特徴とする請求項１記載の電気コネクタ。
【発明の詳細な説明】
【技術分野】
【０００１】
本発明は、導電体を絶縁体により被覆したケーブルと接続する電気コネクタに関する。
【背景技術】
【０００２】
従来、導電体である芯線を絶縁体で被覆したケーブルと電気的に接続する電気コネクタが知られている。かかる電気コネクタとしては、二股の圧接板部を備える導電性のコンタクトを有し、二股の圧接板部の二股の間で絶縁体を突き破って芯線と接続するものが知られている（例えば、特許文献１）。これにより、絶縁体を剥ぎ取って芯線を露出させる手間を省くことができ、電気コネクタにケーブルを容易に接続することができる。
【０００３】
図１０は、従来の電気コネクタ１００の断面図である。なお、図１０では、ケーブルの記載を省略している。
【０００４】
電気コネクタ１００は、二股状のコンタクト１２０の二股の間で絶縁体を突き破ってコンタクト１２０と図示しないケーブルの芯線とを接続するものであり、まずケーブルをハウジング１１０に挿入し、その後コンタクト１２０をハウジング１１０に装着して、コンタクト１２０とケーブルの芯線とを接続させる。コンタクト１２０は、図１０に示すように、外方に突出する突出部１２１を有しており、コンタクト挿入溝１１１の内壁に突出部１２１が圧接されて係止されることにより、ハウジング１１０に保持されている。
【先行技術文献】
【特許文献】
【０００５】
【特許文献１】特開２００５−１５８７３０号公報
【発明の概要】
【発明が解決しようとする課題】
【０００６】
しかしながら、従来の芯線を絶縁体で被覆したケーブルと接続する電気コネクタにおいては、コンタクトの突出部により押圧されるハウジングの局部に押圧力が集中して加わり、ハウジングの押圧された箇所が外部に膨れてしまうことにより外観上の見栄えが悪くなるという課題を有する。特に、近年は、電気コネクタに対する小型化及び薄型化の要望によりハウジングの肉厚も薄くなる傾向にあるため、比較的小さな押圧力で外部に膨れてしまうという課題を有する。また、コンタクトの突出部とハウジングとが点により接触してコンタクトをハウジングに保持するので、ハウジングにコンタクトを安定的に保持することができないという課題を有する。
【０００７】
本発明の目的は、ハウジングにコンタクトを保持させる際のコンタクトとハウジングとの接触面積を増やすことにより、コンタクトからのハウジングに対する押圧力を分散させてハウジングが外部に膨れてしまうことを防ぐことができ、外観上の見栄えを良好にすることができると共に、コンタクトを安定的に保持することができる電気コネクタを提供することである。
【課題を解決するための手段】
【０００８】
本発明に係る電気コネクタは、導電体を絶縁体により被覆したケーブルと接続する電気コネクタであって、前記ケーブルを挿入可能な挿入孔と、前記挿入孔の側方において前記挿入孔から離間して設けられると共に外部に開放されたコンタクト保持部と、前記コンタクト保持部と前記挿入孔とを連通する連通溝と、を備えた絶縁性のハウジングと、二股に分岐した形状を有すると共に前記連通溝に挿入されて前記挿入孔に挿入された前記ケーブ
ルの前記絶縁体を二股の間で突き破って前記導電体に接続する二股状接続部と、前記コンタクト保持部に保持されて相手側コネクタと接続する相手側コネクタ接続部と、を備え、板状部材を折り曲げて形成した導電性のコンタクトと、を有し、前記二股状接続部は、前記連通溝の内壁と面で当接する当接部と、前記連通溝の内壁に当接しないように凹ませて形成した係止部と、を備え、前記係止部は、前記二股状接続部が前記ケーブルの前記導電体からの押圧力で拡開することにより前記ハウジングに係止する。
【０００９】
連通溝の内壁に二股状接続部の当接部を面で当接させてコンタクトをハウジングの連通溝に保持すると共に、コンタクトからのハウジングに対する押圧力を当接部により分散させる。二股状接続部にケーブルの導電体が接続した状態において、二股状接続部が導電体から押圧されて拡開することにより、係止部がハウジングに係止してコンタクトを抜け止めする。
【発明の効果】
【００１０】
本発明によれば、ハウジングにコンタクトを保持させる際のコンタクトとハウジングとの接触面積を増やすことにより、コンタクトからのハウジングに対する押圧力を分散させてハウジングが外部に膨れてしまうことを防ぐことができ、外観上の見栄えを良好にすることができると共に、コンタクトを安定的に保持することができる。
【図面の簡単な説明】
【００１１】
【図１】本発明の第１の実施形態に係る電気コネクタの分解斜視図である。
【図２】本発明の第１の実施形態に係る電気コネクタの斜視図である。
【図３】本発明の第１の実施形態に係る電気コネクタをｘ−ｙ平面と平行に切断して上方より見た断面図である。
【図４】本発明の第１の実施形態に係る電気コネクタをｘ−ｚ平面と平行に切断して斜め前方から見た断面図である。
【図５】本発明の第１の実施形態におけるコンタクトの斜視図である。
【図６】本発明の第１の実施形態におけるコンタクトの正面図である。
【図７】本発明の第１の実施形態におけるコンタクトをハウジングに係止する箇所を拡大した正面図である。
【図８】本発明の第２の実施形態に係る電気コネクタの断面図である。
【図９】本発明の第２の実施形態におけるコンタクトをハウジングに係止する箇所を拡大した正面図である。
【図１０】従来の電気コネクタの断面図である。
【発明を実施するための形態】
【００１２】
以下、図面を適宜参照して、本発明の実施形態に係る電気コネクタにつき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１３】
（第１の実施形態）
＜電気コネクタの構成＞
本発明の第１の実施形態に係る電気コネクタ１の構成につき、図１から図７を参照しながら、以下に詳細に説明する。
【００１４】
電気コネクタ１は、ハウジング１０及びコンタクト２０を備えている。電気コネクタ１は、導電体１３０ｂを絶縁体１３０ａで被覆したケーブル１３０と接続する。電気コネクタ１は、ケーブル１３０の両端に各々接続され、基板に実装された図示しない相手側コネクタに各々接続して基板に実装された相手側コネクタ同士を接続する
ハウジング１０は、絶縁性を有する材料により形成されている。ハウジング１０は、前方に開口すると共に前端から後方に延設されて前方からケーブル１３０を挿入可能な一対の挿入孔１１と、挿入孔１１の左右側方において挿入孔１１から離間して設けられると共に外部に開放されたコンタクト保持部１２（図１参照）と、挿入孔１１とコンタクト保持部１２とを連通する連通溝１３と、を備えている。連通溝１３は、挿入孔１１に対するケーブル１３０の挿入方向（後方向）に対して直交する方向（左右方向）に沿って形成されている（図３参照）。ハウジング１０は、挿入孔１１の後端を閉塞してケーブル１３０の挿入方向の先端と当接する当接壁部１４を後端に備えている。ハウジング１０には、当接壁部１４に接続すると共に一対の挿入孔１１の間において挿入孔１１に沿って支柱部１５が設けられている。ハウジング１０には、コンタクト保持部１２の上方及び下方であって左右両端から内方に切り欠かれた係合凹部１８が形成されている。
【００１５】
コンタクト２０は、一対設けられ、導電性を有する材料により形成されている。コンタクト２０は、板状部材を折り曲げ加工することにより上下方向から見てコ字状に形成されている。
【００１６】
コンタクト２０は、二股状接続部２１及び相手側コネクタ接続部２２を備えている。
【００１７】
二股状接続部２１は、相手側コネクタ接続部２２から連接されると共に先端側が二股に分岐してＵ字状溝２３が形成されている。二股状接続部２１は、ハウジング１０の連通溝１３に挿入され、挿入孔１１に挿入されるケーブル１３０の絶縁体１３０ａを二股の間で突き破ると共に、二股の間で導電体１３０ｂを狭持した状態で導電体１３０ｂに接続した際に導電体１３０ｂにより外方に押圧されることにより拡開する。二股状接続部２１は、導電体１３０ｂに食い込んだ状態で接続する。二股状接続部２１は、ハウジング１０の連通溝１３の内壁である上壁１６及び下壁１７と面で当接する当接部２４を備えている。二股状接続部２１は、当接部２４の一部を連通溝１３の上壁１６及び下壁１７に当接しないように凹ませて形成した係止部としての凹部２５を備えている。凹部２５は、連通溝１３に対する二股状接続部２１の先端側に設けられている。Ｕ字状溝２３は、二股状接続部２１が導電体１３０ｂにより外側に押圧されることにより拡開可能になっている。
【００１８】
相手側コネクタ接続部２２は、ハウジング１０のコンタクト保持部１２に当接して保持されて外部に露出し、相手側コネクタの導電コンタクトに圧接接続する。相手側コネクタ接続部２２には、上面から上方に突出すると共に下面から下方に突出して係合凹部１８に各々係合する係合突起２６が設けられている。
【００１９】
＜電気コネクタの組み立て方法＞
本発明の第１の実施形態に係る電気コネクタ１の組み立て方法につき、以下に詳細に説明する。
【００２０】
まず、予め用意しておいたハウジング１０の挿入孔１１に対してケーブル１３０を前方から挿入する。この際、ケーブル１３０の導電体１３０ｂを露出させておく必要はない。
【００２１】
次に、ケーブル１３０の挿入方向の先端が当接壁部１４に当接するまでケーブル１３０を挿入孔１１に挿入する。
【００２２】
次に、一対のコンタクト２０の二股状接続部２１を連通溝１３に挿入し、二股状接続部２１の二股の間でケーブル１３０の絶縁体１３０ａを突き破る。
【００２３】
次に、二股状接続部２１を更に連通溝１３に挿入して二股状接続部２１とケーブル１３０の導電体１３０ｂとを接続する。この際、二股状接続部２１は、導電体１３０ｂに食い
込んだ状態で導電体１３０ｂに接続する。
【００２４】
次に、二股状接続部２１を更に連通溝１３に挿入することにより二股状接続部２１の先端が支柱部１５の係合孔１９（図３参照）に係合する。また、コンタクト２０の係合突起２６がハウジング１０の係合凹部１８に係合する。
【００２５】
コンタクト２０の二股状接続部２１にケーブル１３０の導電体１３０ｂが接続された状態において、二股状接続部２１の当接部２４がハウジング１０の連通溝１３の上壁１６及び下壁１７に全面に亘って当接する。この際、当接部２４は、二股状接続部２１の二股の間で接続するケーブル１３０の導電体１３０ｂにより二股状接続部２１が拡開する方向に押圧されることにより上壁１６及び下壁１７を押圧する。このように、当接部２４が上壁１６及び下壁１７と面で当接することにより、ハウジング１０に対する当接部２４による押圧力が分散されるため、ハウジング１０が外部に膨らむことを防ぐことができ、外観上の見栄えを良好にすることができる。また、当接部２４が連通溝１３の上壁１６及び下壁１７と面で当接してコンタクト２０をハウジング１０に保持するので、コンタクト２０をハウジング１０に安定的に保持することができる。
【００２６】
ケーブル１３０の導電体１３０ｂにより二股状接続部２１が拡開する方向Ｓ１（図７参照）に押圧されることにより、凹部２５の角２７が上壁１６及び下壁１７に食い込んで係止する。これにより、コンタクト２０に連通溝１３からコンタクト２０が抜ける方向（図７においてｘ軸の正方向）に力が加わった場合であっても、角２７が上壁１６及び下壁１７に係止することにより、コンタクト２０を抜け止めすることができる。
【００２７】
上記方法により組み立てた電気コネクタ１は、基板に実装された相手側コネクタに対して前方から接続すると共に、これに伴って、相手側コネクタの導電コンタクトがコンタクト２０の相手側コネクタ接続部２２と当接した状態で後方から前方に向けてスライドしながら相手側コネクタ接続部２２に接続する。電気コネクタ１は、相手側コネクタと接続した状態において、前方に引っ張られることにより相手側コネクタとの接続が解除されると共に、これに伴って、相手側コネクタの導電コンタクトがコンタクト２０の相手側コネクタ接続部２２と当接した状態で前方から後方に向けてスライドしながら相手側コネクタ接続部２２との接続を解除する。上記の動作に伴ってコンタクト２０に対して外部から前後方向に力が加わるが、コンタクト２０の係合突起２６とハウジング１０の係合凹部１８とが係合すると共に二股状接続部２１の先端が係合孔１９に係合することにより、ハウジング１０に対してコンタクト２０を安定して保持することができる。
【００２８】
本実施形態によれば、コンタクト２０の当接部２４が上壁１６及び下壁１７と面で当接する構成にしたことにより、ハウジング１０の上壁１６及び下壁１７の厚みを薄くしても外部に膨らむことがないので、ハウジング１０の上壁１６及び下壁１７の厚みを薄くして電気コネクタ１を低背化及び小型化することができる。
【００２９】
また、本実施形態によれば、コンタクト２０には当接部２４から突出する部分を形成しないので、従来と比べて、板材からコンタクト２０を形成する際の材料取りの無駄を無くすることができる。
【００３０】
また、本実施形態によれば、コンタクト２０上下方向の幅を小さくすることができるので、ハウジング１０の連通溝１３の上下方向の高さを低くすることができ、電気コネクタ１を低背化することができる。
【００３１】
（第２の実施形態）
＜電気コネクタの構成＞
本発明の第２の実施形態に係る電気コネクタ２の構成につき、図８及び図９を参照しながら、以下に詳細に説明する。
【００３２】
なお、図８及び図９において、図１から図７と同一構成である部分については同一符号を付して、その説明を省略する。
【００３３】
電気コネクタ２は、ハウジング５０及びコンタクト２０を備えている。
【００３４】
ハウジング５０は、板厚方向である上下方向に貫通して、係合孔１９及び連通溝１３に対する二股状接続部２１の挿入方向における係合孔１９よりも手前の部分を外部に開放する貫通孔５１を備えている。貫通孔５１は、左右方向の幅Ｌ１に亘って形成されている（図９参照）。ここで、幅Ｌ１は、係合孔１９に係合した二股状接続部２１の先端が支柱部１５に当接した際に、係止壁５２の上端が凹部２５の角２７と角２８との間に当接可能な幅である。ハウジング５０には、連通溝１３の上壁１６及び下壁１７に連続して形成されると共に連通溝１３に対する二股状接続部２１の挿入方向に直交する係止壁５２が設けられている。係止壁５２は、貫通孔５１の一部を構成していると共に支柱部１５に対向して設けられている。なお、ハウジング５０における上記以外の構成はハウジング１０と同一構成であるので、その説明を省略する。
【００３５】
＜電気コネクタの組み立て方法＞
本発明の第２の実施形態に係る電気コネクタ２の組み立て方法につき、以下に詳細に説明する。
【００３６】
ケーブル１３０の導電体１３０ｂにより二股状接続部２１が拡開する方向Ｓ１（図９参照）に押圧されることにより、当接部２４と凹部２５とを接続する角２７が貫通孔５１に落ち込むと共に凹部２５が係止壁５２に係止される。これにより、コンタクト２０に連通溝１３からコンタクト２０が抜ける方向（図９においてｘ軸の正方向）に力が加わった場合であっても、凹部２５が係止壁５２に係止することにより、コンタクト２０を抜け止めすることができる。
【００３７】
なお、電気コネクタ２における上記の組み立て方法以外の組み立て方法は電気コネクタ１の組み立て方法と同一であるので、その説明を省略する。
【００３８】
本実施形態によれば、上記第１の実施形態の効果に加えて、連通溝１３に対する二股状接続部２１の挿入方向に直交する係止壁５２に凹部２５が係止するので、コンタクト２０を確実にハウジング５０に保持することができる。
【００３９】
なお、本実施形態において、貫通孔５１を設けたが、貫通しない凹部を連通溝１３に設けてこの凹部の側壁の一部を係止壁５２としてもよい。凹部を設けた場合には、ハウジング５０の外部表面に凹凸を無くすることができるので、外観上の見栄えを良好にすることができる。
【００４０】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００４１】
具体的には、上記第１の実施形態及び第２の実施形態において、連通溝１３に対する二股状接続部２１の先端側に凹部２５を設けたが、二股状接続部２１におけるケーブル１３０の導電体１３０ｂの押圧力により外側に弾性変形する部分であれば、二股状接続部２１の先端及び先端側以外の箇所に凹部２５を設けてもよい。
【００４２】
また、上記第１の実施形態及び第２の実施形態において、コンタクト２０を上方から見てコ字状に形成したが、コ字状以外の例えば上方から見てヨ字状等の任意の形状にすることができる。
【００４３】
また、上記第１の実施形態及び第２の実施形態において、コンタクトを一対設けたが、コンタクトの数は１つ又は３つ以上等の任意にすることができる。
【産業上の利用可能性】
【００４４】
本発明の電気コネクタは、導電体を絶縁体により被覆したケーブルと接続するのに好適である。
【符号の説明】
【００４５】
１  電気コネクタ
２  電気コネクタ
１０  ハウジング
１１  挿入孔
１２  コンタクト保持部
１３  連通溝
１４  当接壁部
１５  支柱部
１６  上壁
１７  下壁
１８  係合凹部
１９  係合孔
２０  コンタクト
２１  二股状接続部
２２  相手側コネクタ接続部
２３  Ｕ字状溝
２４  当接部
２５  凹部
２６  係合突起
２７  角
２８  角
５０  ハウジング
５１  貫通孔
５２  係止壁
【図１】
2016115414.tif 000003
【図２】
2016115414.tif 000004
【図３】
2016115414.tif 000005
【図４】
2016115414.tif 000006
【図５】
2016115414.tif 000007
【図６】
2016115414.tif 000008
【図７】
2016115414.tif 000009
【図８】
2016115414.tif 000010
【図９】
2016115414.tif 000011
【図１０】
2016115414.tif 000012